(57)【要約】【課題】乳児用食品又は乳児用品を、その用途及び機能に合わせて様々な方法で保管又は処理するための複数の機能室を備える育児用多機能保管庫を提供する。【解決手段】乳児用食品又は用品を保管する育児用保管庫１００であって、保管庫本体内で、乳児用食品又は用品を冷蔵、温蔵及び／又は殺菌するための保管庫本体内の複数の機能室及び複数の機能室を制御する制御部を含む。複数の機能室は冷蔵室１２０及び殺菌室１４０を含む。冷蔵室は、保管庫本体内で隔壁により区画され、第１ドア１２３によって開閉可能な冷蔵空間１２１を有し、第１熱電素子によって冷蔵空間を冷蔵する。【選択図】図２
2008525752.tif 000002
【特許請求の範囲】
【請求項１】
乳児用食品及び／又は用品を保管するための育児用保管庫であって、
前記保管庫の本体内で、前記乳児用食品及び／又は用品を冷蔵、温蔵及び／又は殺菌するための前記本体内の複数の機能室と、
前記複数の機能室を制御するための制御部とを含み、
前記複数の機能室は、冷蔵室及び殺菌室を含むことを特徴とする育児用保管庫。
【請求項２】
前記冷蔵室は、前記本体内で隔壁によって区画され、第１ドアによって開閉可能な冷蔵空間を有し、前記冷蔵空間を第１熱電素子によって冷蔵するようにしたことを特徴とする請求項１に記載の育児用保管庫。
【請求項３】
前記冷蔵室は、前記熱電素子の熱放出側に設けられた、前記第１熱電素子の熱を前記本体に形成された放熱口を介して外部に放出する放熱ファンを更に含むことを特徴とする請求項２に記載の育児用保管庫。
【請求項４】
前記複数の機能室は温蔵室を更に含み、
前記温蔵室は、前記本体内で隔壁によって区画され、第２ドアによって開閉可能な温蔵空間を有し、前記温蔵空間を第１ヒータによって加熱又は保温するようにしたことを特徴とする請求項１に記載の育児用保管庫。
【請求項５】
前記複数の機能室は冷温蔵室を更に含み、
前記冷温蔵室は、前記本体内で隔壁によって区画され、第２ドアによって開閉可能な冷温蔵空間を有し、前記冷温蔵空間を第１ヒータによって加熱又は保温する、或いは第２熱電素子によって冷蔵するようにしたことを特徴とする請求項１に記載の育児用保管庫。
【請求項６】
前記殺菌室は、前記本体内で隔壁によって区画され、第３ドアによって開閉可能な殺菌空間を有し、前記殺菌空間を殺菌装置によって殺菌するようにしたことを特徴とする請求項１に記載の育児用保管庫。
【請求項７】
前記殺菌室は、前記殺菌空間内に設けられた、前記殺菌空間内の保管物を乾燥させるための乾燥装置を更に含むことを特徴とする請求項６に記載の育児用保管庫。
【請求項８】
前記乾燥装置は、第２ヒータと、前記第２ヒータにより生成される熱を前記殺菌空間に拡散させるための熱拡散ファンとを有することを特徴とする請求項７に記載の育児用保管庫。
【請求項９】
前記殺菌室は、グリル状の棚及び集水容器が前記殺菌空間内に着脱可能に設けられ、前記集水容器は前記棚の下方に配置されることを特徴とする請求項６に記載の育児用保管庫。
【請求項１０】
前記殺菌室は、前記殺菌空間内に設けられるグリル状の棚と、前記棚の下方に流れる水を集水して排出させるための排水口とを備え、
前記冷蔵室は、前記排水口を介して排出される水を集水するための蒸発容器が、前記第１熱電素子により生成される熱の移動経路上に設けられることを特徴とする請求項６に記載の育児用保管庫。
【請求項１１】
前記制御部は、前記冷蔵空間の内部温度を検知するための第１温度センサ及び前記冷蔵空間の所望の内部温度が入力される冷蔵温度入力部から出力される信号をそれぞれ受信し、前記冷蔵空間の内部温度が、前記冷蔵温度入力部に入力された所望の温度に到達するように前記第１熱電素子を制御するようにしたことを特徴とする請求項２に記載の育児用保管庫。
【請求項１２】
前記冷蔵温度入力部は、食品、医薬品又は化粧品に対して予め設定された冷蔵温度を選択できるようにしたことを特徴とする請求項１１に記載の育児用保管庫。
【請求項１３】
前記制御部は、前記温蔵空間の内部温度を検知するための第２温度センサ及び前記温蔵空間の所望の内部温度が入力される温蔵温度入力部から出力される信号をそれぞれ受信し、前記温蔵空間の内部温度が、前記温蔵温度入力部に入力された所望の温度に到達するように前記第１ヒータを制御するようにしたことを特徴とする請求項４に記載の育児用保管庫。
【請求項１４】
前記制御部は、前記冷温蔵空間の内部温度を検知するための第２温度センサ及び前記冷温蔵空間の所望の内部温度が入力される冷蔵／温蔵温度入力部から出力される信号をそれぞれ受信し、前記冷温蔵空間の内部温度が、前記冷蔵／温蔵温度入力部に入力された所望の温度に到達するように前記第１ヒータ及び前記第２熱電素子を制御するようにしたことを特徴とする請求項５に記載の育児用保管庫。
【請求項１５】
前記制御部は、前記殺菌室に設けられた、前記第３ドアが開いているかどうかを検知するためのドア開放検知センサから出力される検知信号に応じて、前記第３ドアが開かれると、前記殺菌装置の動作を停止させるようにしたことを特徴とする請求項６に記載の育児用保管庫。
【請求項１６】
前記制御部は、前記殺菌空間の内部温度を検知するための第３温度センサから出力される出力信号を受信し、前記殺菌空間の内部温度が所定温度以上であれば、前記第２ヒータの動作を停止させるようにしたことを特徴とする請求項６に記載の育児用保管庫。
【請求項１７】
前記制御部は、前記殺菌装置が作動しているとき、前記放熱ファンを駆動させるようにしたことを特徴とする請求項３に記載の育児用保管庫。
【請求項１８】
乳児用食品を冷蔵保管するための空間と、乳児用品を湯せん又は殺菌するための空間とを提供するための複数の機能室を備え、前面が開くような外部ケースの内側に設けられる、育児用保管庫の内部ケースであって、
前記内部ケースは、
Ｕ字状の溝を上部に有する前面パネルと、前記外部ケースの内側面から離間して配置される第１機能室と、前記外部ケースとの間に断熱材が充填される密閉空間とを備える、前記外部ケースに結合される本体と、
前記本体の前記溝の後側に結合されて前記密閉空間の上部を密閉し、前記溝の後側に延在して前記第１機能室と離間して配置される第２機能室を形成するようにＵ字状に形成され、前記外部ケースの内側面を支持するように両側に支持部を有する補強板とを含むことを特徴とする育児用保管庫の内部ケース。
【請求項１９】
前記補強板は、ボルト及びナットを用いて前記補強板を前記本体の前記前面パネルに結合するように、前端部に沿って形成された固定リブを備えることを特徴とする請求項１８に記載の内部ケース。
【発明の詳細な説明】
【技術分野】
【０００１】
本発明は、育児用多機能保管庫及びその内部ケースに関し、より詳しくは、乳児用食品又は乳児用品を様々な方法で保管又は処理するための複数の機能室を有し、育児用多機能保管庫の内部ケース及び外部ケースの間に充填される断熱材の流出を防止できる一方、外部からの荷重や衝撃などによって外部ケースが変形されることを最小限に抑える育児用多機能保管庫に関する。
【背景技術】
【０００２】
一般に、冷蔵庫は食べ物や飲み物を冷蔵又は冷凍状態で長時間保管する、或いは迅速に冷却するために用いられる。このような冷蔵庫は、個々の前面ドアによってそれぞれ開閉される冷凍室及び冷蔵室を含む。冷凍室及び冷蔵室に冷気を供給するため、冷蔵庫は圧縮器、凝縮器、毛細管及び冷却器を用いて冷却サイクルを実行する。圧縮器は冷媒を高温高圧で圧縮して、圧縮した冷媒を凝縮器に送る。そして、凝縮器は冷媒の熱を放出することによって、圧縮した冷媒を低温低圧の液状冷媒に変換する。低温低圧の液状冷媒は、毛細管を通過する間に低温高圧の液状冷媒に変換される。低温高圧の液状冷媒は、冷凍室の後側に設けられている冷却器に送られる。冷却器に送られた冷媒は、冷却器の冷媒用パイプを通過する間に再び低圧状態に変換され、最終的に蒸発して冷凍室及び冷蔵室の温度を下げる。
【０００３】
近年、生活水準の向上に伴い、様々な種類の専用冷蔵庫が求められている。このような要求を満足させるため、例えば、キムチを熟成させるための蒸発パイプ及び熱線が設けられたキムチ用冷蔵庫や、比較的小さな容積の化粧品保管室を熱電素子を用いて冷却させることによって所定の低温で化粧品を保管する化粧品専用冷蔵庫などが開発されている。
【０００４】
しかしながら、このような様々な種類の専用冷蔵庫が開発されているにも関わらず、乳児又は育児専用の保管装置はまだ開発されていないというのが現状である。
【０００５】
従って、乳児用食品又は乳児用品、例えば、粉ミルク、母乳、医薬品などを家庭用の一般の冷蔵庫に保管する場合、冷蔵庫に保管されている他の食品のにおいがついてしまう。その結果、乳児用食品又は乳児用品の品質が低下し、さらには衛生上の問題も発生し得る。さらに、乳児用食品、例えばミルクを温めるために電子レンジを使用したとしても、そのミルクを長時間所望の温度で保管することは難しい。また、ミルクを温めるため又は温められたミルクを保管するために温蔵庫を購入することは経済的ではない。なぜなら、温蔵庫は加熱するだけであり、他の目的に用いることができない。さらに、温蔵庫は病院、薬局、飲食店などの商業的環境で用いられるように設計されているため、育児用として家庭で使用することに適していない。
【０００６】
また、一般的な家庭用殺菌装置は、台所用品、例えば、食器や調理用具を殺菌するように作られているため、そのような殺菌装置は乳児用品、例えば、授乳びん、ガーゼ、おもちゃなどを殺菌するために使用することに適していない。
【０００７】
ショーケースに殺菌装置、温蔵庫及び空気清浄器を含む多機能陳列式冷蔵庫の一例が、特許文献１に開示されている。この冷蔵庫は飲食店で必要とされる様々な装置を含んで構成されており、マイコンを用いて中央制御できるようになっている。この製品は様々な機能を提供することによって利用者の利便性を向上させているが、大容量であり、かつその構造及び機能が商業的用途にカスタマイズされている。従って、育児用の用途に適した機能は有していない。
【０００８】
また、乳児用品、特に授乳びんを殺菌するための殺菌装置に関する技術が多く出願されている。その中で、例えば、乳児用品紫外線消毒装置の一例が、特許文献２に開示されている。しかし、これら消毒装置の大部分は授乳びんの消毒に限られており、その他の様々な乳児用品を適切に保管するような保管機能は有していない。
【０００９】
【特許文献１】韓国特許出願公開第２００４−７１０１１号明細書
【００１０】
【特許文献２】韓国特許出願公開第２００３−９２９８５号明細書
【００１１】
従って、乳児用食品又は用品をその用途と機能に合わせて様々な方法で保管できる製品の開発が必要とされている。これまで主婦や成人を中心に企画、流通されていた家電製品に対する既存の認識を再考することによって、新たな顧客層を発掘し、冷蔵庫の新しい使用分野を開拓する必要性が生まれた。すなわち、乳児用食品又は乳児用品をその用途及び機能に合わせて様々な方法で保管又は処理するための複数の機能室を備える育児用多機能保管庫が求められている。
【００１２】
また、この育児用多機能保管庫が、複数の機能室が形成される内部ケース及び、その内部に内部ケースを収容する、前面が開くような外部ケースを備えるように構成される場合、機能室を互いに分離するために内部ケースと外部ケースとの間の空間に注入される液状断熱材が、例えば触媒反応によって固体状態に変化する前に外部に流出することがあり、これに対処するための時間及び労力を必要とする。さらに、育児用保管庫は従来の冷蔵庫に比べてサイズが小さいため、外部からの荷重によりケースが変形し易いという問題点があった。従って、このような問題を解決できる育児用多機能保管庫の内部ケースも求められている。
【発明の開示】
【課題を解決するための手段】
【００１３】
従って、本発明の第１の目的は、乳児用食品又は用品を様々な方法で保管又は処理するための複数の機能室を含む育児用多機能保管庫を提供することにある。乳児用食品又は用品を１つの装置内で様々な方法で保管することができる育児用多機能保管庫を用いることによって、育児に必要な時間及び労力を減少することができ、利用者の利便性を向上させることができる。
【００１４】
本発明の第２の目的は、育児用多機能保管庫の内部ケースを提供することにあり、その内部ケースは複数の機能室が形成され、内部ケースと外部ケースとの間の空間に充填される液状断熱材の流出を防止でき、外部ケースの内側面を支持して補強することによって、外部ケースが荷重や衝撃などにより変形されてしまうことを最小限に抑えることができる。
【００１５】
本発明の一形態では、乳児用食品及び／又は用品を保管するための育児用保管庫であって、乳児用食品及び／又は用品を冷蔵、温蔵及び／又は殺菌するための複数の機能室を本体内に備え、前記複数の機能室は冷蔵室及び殺菌室を含み、前記複数の機能室を制御するための制御部を備える育児用保管庫が提供される。
【００１６】
本発明の他の形態では、乳児用食品を冷蔵保管するための空間と、乳児用品を湯せん又は殺菌するための空間とを提供する複数の機能室を備え、前面が開くような外部ケースの中に設けられる、育児用保管庫の内部ケースであって、Ｕ字状の溝を上部に有する前面パネルと、外部ケースの内側面から離間して配置される第１機能室と、外部ケースとの間に断熱材が充填される密閉空間とを備え、前記外部ケースと結合する本体と、前記本体の溝の後側に結合されて密閉空間の上部を密閉し、第２機能室を前記溝の後側に、第１機能室と離間して配置するようにＵ字状に形成され、外部ケースの内側面を支持するように両側に支持部を有する補強板とを含む、育児用多機能保管庫の内部ケースが提供される。
【発明を実施するための最良の形態】
【００１７】
以下、添付の図面を参照しつつ、本発明の好適な実施形態について詳細に説明する。
【００１８】
図１は、本発明の第１の実施形態による育児用多機能保管庫を示す斜視図であり、図２は、本発明の第１の実施形態による育児用多機能保管庫のドアが開かれている状態を示す斜視図であり、図３は、本発明の第１の実施形態による育児用多機能保管庫の内部を示す正面図であり、図４は、本発明の第１の実施形態による育児用多機能保管庫を制御するためのブロック図である。
【００１９】
図示のように、育児用多機能保管庫１００は、本体１１０に複数の機能室を含む。機能室は、乳児用食品又は用品を、各々、冷蔵、温蔵及び殺菌するための、冷蔵室１２０、温蔵室１３０及び殺菌室１４０を含む。また、育児用多機能保管庫１００は、機能室１２０、１３０、１４０を制御するための制御部１５０を含む。
【００２０】
本体１１０は、その内部を隔壁１１１によって区画することで、冷蔵空間１２１、温蔵空間１３１及び殺菌空間１４１がそれぞれ形成される。本体１１０の各隔壁１１１及び各壁１１２は、内部に断熱材を内蔵する。殺菌空間１４１の容積は、通常、その機能及び目的から、冷蔵空間１２１及び温蔵空間１３１の容積より小さくなるように形成される。
【００２１】
機能室は、少なくとも１つの冷蔵室１２０、少なくとも１つの温蔵室１３０及び少なくとも１つの殺菌室１４０を備え、冷蔵室１２０、温蔵室１３０及び／又は殺菌室１４０の数は必要に応じて適宜増やすことができる。
【００２２】
冷蔵室１２０は、冷蔵空間１２１を開閉するための第１ドア１２３を有する。冷蔵空間１２１において、棚１２８及び保管用引出し１６３が着脱可能に設けられる。また、冷蔵空間１２１を冷却するための第１熱電素子１２２が冷蔵空間１２１の後部に設けられる。
【００２３】
第１熱電素子１２２は、図５に示すように、電源が供給されると両側からそれぞれ熱及び冷気を放出する。冷蔵空間１２１を冷却するため、第１熱電素子１２２の冷蔵空間１２１側に吸熱プレート１２４が設けられ、その反対側に放熱プレート１２５が配置される。従って、第１熱電素子１２２から放出される冷気は、吸熱プレート１２４を介して冷蔵空間１２１に流入し、第１熱電素子１２２から放出される熱は、放熱プレート１２５を介して冷蔵空間１２１とは反対側の方に放出される。また、第１熱電素子１２２から放出される冷気を冷蔵空間１２１全体に迅速に拡散させるため、吸熱プレート１２４側に冷気拡散プレート１２６が、例えば、熱伝導に優れたアルミニウム（Ａｌ）などのような材質で形成され、冷蔵空間１２１に露出するように配置される。
【００２４】
冷蔵室１２０は、図５に示すように、第１熱電素子１２２の熱放出側、すなわち放熱プレート１２５側に第１放熱ファン１２７が設けられる。第１放熱ファン１２７は、第１熱電素子１２２の熱を本体１１０の放熱口１１４を介して外部に排出させる。また、本体１１０は第１放熱ファン１２７により本体１１０に外気を吸気するための吸気口１１５を有する。
【００２５】
温蔵室１３０は、温蔵空間１３１を開閉するための第２ドア１３３を有する。温蔵空間１３１を加熱又は保温するための第１ヒータ１３２が温蔵室１３０内に設けられる。
【００２６】
第１ヒータ１３２は、図６に示すように、温蔵空間１３１の後部に設けられ、電源が供給されると発熱する熱線を内蔵するヒートブロックとして機能する。さらに、第１ヒータ１３２の温蔵空間１３１と対向する側面に、熱伝導に優れたアルミニウム（Ａｌ）などのような材質からなる熱拡散プレート１３４が結合される。熱拡散プレート１３４は温蔵空間１３１に露出して、第１ヒータ１３２から放出される熱を温蔵空間１３１に迅速に放出させる。また、温蔵室１３０は第１ヒータ１３２の作動時間を設定するための第１タイマ１３５を備える。
【００２７】
殺菌室１４０は、殺菌空間１４１を開閉するための第３ドア１４３が提供される。殺菌装置１４２は殺菌空間１４１を殺菌するため、殺菌室１４０内部に設けられる。
【００２８】
殺菌装置１４２としてオゾン発生器又はマイナスイオン発生器などを使用することもできるが、比較的安全性の高い紫外線を照射する発光ダイオード又は紫外線ランプを用いることが好ましい。さらに、本実施形態において、殺菌装置１４２として機能する紫外線ランプから放出される紫外線が殺菌空間１４１に対して間接的に照射されるようにするため、殺菌装置１４２の外側に遮断膜１４４が設けられる。
【００２９】
殺菌室１４０は、図７に示すように、殺菌空間１４１内に保管されているものを乾燥させるため、殺菌空間１４１の一方の側面に乾燥装置１４５が配置される。特に、乾燥装置１４５は、熱を放出する第２ヒータ１４５ａ、第２ヒータ１４５ａから生成される熱を殺菌空間１４１全体に拡散させるための熱拡散ファン１４５ｂを備える。
【００３０】
また、殺菌室１４０は、少なくとも１つの殺菌装置１４２及び乾燥装置１４５、又はその両方を同時に作動させるためのスイッチ１４６が備えられ、殺菌装置１４２及び／又は乾燥装置１４５の作動時間を設定するための第２タイマ１４７が備えられる。
【００３１】
殺菌室１４０は、図８に示すように、殺菌空間１４１内に、少なくとも１つのグリル状の棚１４８及び保管用引出し１６３が着脱可能に設けられる。さらに、最も下の棚１４８の下方に集水容器１４９が着脱可能に配置される。また、殺菌室１４０は水を溜めるための集水部１６１を有し、集水部１６１は水を排水するための排水口１６２を備える。この排水口１６２は排水ライン１６４と接続されており、排水口１６２からの水は排水ライン１６４を介して冷蔵室１２０内の蒸発容器１２９に供給される。
【００３２】
蒸発容器１２９は、冷蔵空間１２１の後側の所定の位置に配置され、より詳しくは、第１熱電素子１２２から放出される熱が第１放熱ファン１２７によって移動する熱移動経路と接触する位置、すなわち第１放熱ファン１２７によって送られる空気がダクト１１６を介して放熱口１１４に移動する空気流経路の下方に設けられる。従って、排水ライン１６４を介して蒸発容器１２９に供給される水は、第１熱電素子１２２から放出される熱によって容易に蒸発する。
【００３３】
一方、冷蔵室１２０、温蔵室１３０及び殺菌室１４０の第１乃至第３ドア１２３、１３３、１４３は、左右方向に回転することによって開閉される、又は、前後方向に摺動することによって開閉されるように構成されて良い。本実施形態の図２に示したように、第１及び第３ドア１２３、１４３は左右方向に回転することによって開閉されるのに対して、第２ドア１３３は前後方向に摺動することによって開閉される。トレー１３６は第２ドア１３３の後側に設けられ、第２ドア１３３が温蔵空間１３０に対して摺動されるようにする。
【００３４】
制御部１５０は、第１熱電素子１２２、第１ヒータ１４２及び殺菌装置１４２だけでなく、第１放熱ファン１２７及び乾燥装置１４５の第２ヒータ１４５ａ及び熱拡散ファン１４５ｂなどを制御する。すなわち、制御部１５０は冷蔵空間１２１の内部温度を検知するための第１温度センサ１５１（図５に示す）及び冷蔵空間１２１の所望の内部温度が入力される冷蔵温度入力部１５２から出力される信号をそれぞれ受信して、冷蔵空間１２１の内部温度が冷蔵温度入力部１５２に入力された温度に到達するように第１熱電素子１２２を制御する。冷蔵温度入力部１５２は、食品、医薬品、化粧品などのそれぞれに対して予め設定された冷蔵温度を選択できる。例えば、食品、医薬品及び化粧品の冷蔵温度を、各々、３度、１２度及び１５度に設定できる。
【００３５】
さらに、制御部１５０は、温蔵空間１３１の内部温度を検知するための第２温度センサ１５３（図６に示す）及び温蔵空間１３１の所望の内部温度が入力される温蔵温度入力部１５４から出力される信号をそれぞれ受信して、温蔵空間１３１の内部温度が温蔵温度入力部１５４に入力された温度に到達するように第１ヒータ１３２を制御する。
【００３６】
制御部１５０は、第３ドア１４３の開放を検知するためのドア開放検知センサ１５５から出力される検知信号を受信する。ドア開放検知センサ１５５は、例えば、殺菌空間１４１の入口に設けられ、第３ドア１４３と接触することによって第３ドア１４３が開いていることを検知する。第３ドア１４３が開いていることを示す信号を受信すると、制御部１５０は殺菌装置１４２の動作を停止させる。さらに、制御部１５０は、殺菌装置１４２の駆動時に第１放熱ファン１２７を駆動させ、排水口１６２を介して殺菌室１４０から排出された後、排水ライン１６４を介して蒸発容器１２９に供給される水を、連続的に蒸発させる。
【００３７】
さらに、制御部１５０は、殺菌空間１４１の内部温度を検知するために殺菌空間１４１に設けられる第３温度センサ１５６（図７に示す）から出力される検知信号を受信する。殺菌空間１４１の内部温度が所定温度以上になれば、制御部１５０は第２ヒータ１４５ａの動作を停止させる。
【００３８】
第１及び第２タイマ１３５及び１４７、スイッチ１４６、冷蔵温度入力部１５２及び温蔵温度入力部１５４は、各機能室１２１、１３１、１４１の内部、又は本体１１０などに設けられることもできる。図１及び図２の本実施形態においては、第２ドア１３３の前面に操作パネルが設けられる。操作パネル１５８は、それら構成要素の操作状態を示すためのディスプレイ部１５７を有する。
【００３９】
以下、このような構造を有する育児用多機能保管庫の作用について説明する。
【００４０】
冷蔵室１２０には、乳児用食品（特に、母乳）、乳児用医薬品、乳児用スキンケア化粧品などが保管される。冷蔵室１２０に保管されるこれらのものは、第１熱電素子１２２から放出されて吸熱プレート１２４及び冷気拡散プレート１２６によって冷蔵空間１２１全体に拡散する冷気により冷却される。このとき、第１熱電素子１２２から放出される熱は、放熱プレート１２５に伝達され、第１放熱ファン１２７の作動によって本体１１０の放熱口１１４を介して放出される。
【００４１】
冷蔵室１２０の温度は、制御部１５０によって制御される第１熱電素子１２２に供給される電流量によって制御される。
【００４２】
冷蔵空間１２１の内部温度を検知する第１温度センサ１５１からの検知信号及び冷蔵温度入力部１５２に入力された所望の冷蔵温度を示す電気的な信号を受信することによって、制御部１５０は、冷蔵空間１２１の内部温度が所望の温度で維持されるように第１熱電素子１２２を制御する。また、冷蔵温度入力部１５２は、保管しようとする乳児用食品又は用品の種類毎に予め設定されている温度、例えば、乳児用食品の場合は３度、乳児用医薬品の場合は１２度、乳児用スキンケア化粧品の場合は１５度を、対応するスイッチ（図示せず）を手動操作するだけで便利に入力できるように構成されている。
【００４３】
温蔵室１３０は、ミルク、漢方薬などを第１ヒータ１３２の熱によって温める、又は保温する。第１ヒータ１３２の作動時間、すなわち、ミルクなどを温める、又は保温する時間を、第１タイマ１３５を用いることによって設定できる。制御部１５０は、温蔵空間１３１の内部温度を検知する第２温度センサ１５３からの検知信号及び所望の温蔵温度を入力する温蔵温度入力部１５４から出力される電気的な信号を受信し、温蔵空間１３１の内部温度が、所望の温度で維持されるように第１ヒータ１３２を制御する。
【００４４】
殺菌室１４０は、殺菌空間１４１内に保管されている授乳びん、ガーゼ、おもちゃなどを紫外線を照射する発光ダイオードや紫外線ランプのような殺菌装置１４２を用いて殺菌するだけでなく、第２ヒータ１４５ａの熱を熱拡散ファン１４５ｂによって殺菌空間１４１内に供給し、それらのものを乾燥させることができる。また、スイッチ１４６により殺菌機能及び乾燥機能の何れか１つ、又は両方を選択できる。第２タイマ１４７により殺菌装置１４２及び／又は乾燥装置１４５の作動時間を設定できる。
【００４５】
殺菌室１４０のグリル状の棚１４８に置かれた授乳びんなどから落ちる水は、集水容器１４９に集水された後、外部に排出される。あるいは、集水容器１４９を取外し、授乳びんから落ちる水を集水部１６１に直接溜めることもでき、排水口１６２及び排水ライン１６４を介して蒸発容器１２９に水を供給することによって、水は第１熱電素子１２２から放出される熱により蒸発させられる。一方、制御部１５０は、第１熱電素子１２２が停止された状態であっても、殺菌装置１４２の駆動時に第１放熱ファン１２７を駆動させて蒸発容器１２９に溜まる水を迅速に蒸発させる。
【００４６】
殺菌室１４０の第３ドア１４３が開かれると、ドア開放検知センサ１５５から出力される検知信号が制御部１５０に送られる。その後、制御部１５０は、殺菌装置１４２から紫外線などが外部に放射されないように殺菌装置１４２の動作を停止させる。
【００４７】
また、第３温度センサ１５６が、殺菌空間１４１の内部温度が所定温度以上に上がっていることを検知すると、制御部１５０は第２ヒータ１４５ａの動作を停止させ、殺菌空間１４１の過熱及びそれによる危険の発生を防止する。
【００４８】
以下、本発明の第２の実施形態による育児用多機能保管庫について説明する。
【００４９】
本発明の好適な第２の実施形態による育児用多機能保管庫は、温蔵室１３０が冷温蔵室１３０´に、温蔵空間１３１が冷温蔵空間１３１´に、温蔵温度入力部１５４が冷蔵／温蔵温度入力部１５４´に代わったことを除けば、上記の第１の実施形態による育児用多機能保管庫と同一の構造を有する。従って、上記の第１の実施形態と同一の要素には同一の符号を付し、その説明を省略する。
【００５０】
冷温蔵室１３０´は、温蔵空間１３１を開閉するための第２ドア１３３を有する。冷温蔵室１３０´の内部には、冷温蔵空間１３１´を加熱又は保温するための第１ヒータ１３２及び冷温蔵空間１３１´を冷却するための第２熱電素子１３７が設けられる。
【００５１】
第１ヒータ１３２は、図１０に示すように、冷温蔵空間１３１´の後部に設けられ、電源が供給されると発熱する熱線を内蔵するヒートグブロックとして機能する。また、第１ヒータ１３２の冷温蔵空間１３１´と対向する側面に、熱伝導に優れたアルミニウム（Ａｌ）などのような材質からなる熱拡散プレート１３４が結合される。熱拡散プレート１３４は、冷温蔵空間１３１´に露出し、第１ヒータ１３２から放出される熱を冷温蔵空間１３１´に迅速に放出させる。
【００５２】
第２熱電素子１３７は、図１０に示すように、一方の側面に吸熱プレート１３７ａが備えられ、反対側の側面に発熱プレート１３７ｂが備えられる。さらに、冷気拡散プレート１３７ｃが吸熱プレート１３７ａと接するように備えられ、吸熱プレート１３７ａからの熱を本体１１０の放熱口１１４を介して外部に放出させるように第２放熱ファン１３８が設けられる。
【００５３】
さらに、冷温蔵室１３０´には、第１ヒータ１３２及び／又は第２熱電素子１３７の作動時間を設定するための第１タイマ１３５が備えられる。
【００５４】
制御部１５０は、第１熱電素子１２２、第１ヒータ１３２、第２熱電素子１３７及び殺菌装置１４２だけでなく、第１及び第２放熱ファン１２７及び１３８、及び乾燥装置１４５の第２ヒータ１４５ａ及び熱拡散ファン１４５ｂなどを制御する。すなわち、制御部１５０は、冷蔵空間１２１の内部温度を検知する第１温度センサ１５１（図１０に示す）及び冷蔵空間１２１の所望の内部温度を入力するための冷蔵温度入力部１５２から出力される信号をそれぞれ受信して、冷蔵空間１２１の内部温度が冷蔵温度入力部１５２に入力された所望の温度に到達するように第１熱電素子１２２を制御する。冷蔵温度入力部１５２を用いることによって、食品、医薬品及び化粧品など、それぞれに対して予め設定された冷蔵温度を選択できる。例えば、食品、医薬品及び化粧品の冷蔵温度は、各々、３度、１２度及び１５度に設定できる。
【００５５】
さらに、制御部１５０は、冷温蔵空間１３１´の内部温度を検知する第２温度センサ１５３（図１０に示す）及び冷温蔵空間１３１´の所望の内部温度を入力するための温蔵温度入力部１５４´から出力される信号を受信し、冷温蔵空間１３１´の内部温度が温蔵温度入力部１５４´に入力された所望の温度に到達するように第１ヒータ１３２及び第２熱電素子１３７を制御する。
【００５６】
冷温蔵室１３０´は、ミルク、漢方薬などを第１ヒータ１３２の熱によって温める、又は保温する。このとき、冷蔵室１２０がいっぱいになると、冷温蔵室１３０´は食品、飲料などを第２熱電素子１３７によって冷蔵する、又は保冷する。第１ヒータ１３２又は第２熱電素子１３７の作動時間は、第１タイマ１３５によって設定できる。制御部１５０は、冷温蔵空間１３１´の内部温度を検知する第２温度センサ１５３からの検知信号及び所望の温蔵温度が入力される温蔵温度入力部１５４´から出力される電気的な信号を受信し、冷温蔵空間１３１´の内部温度が所望の温度で維持されるように第１ヒータ１３２及び第２熱電素子１３７を制御する。
【００５７】
本実施形態による育児用多機能保管庫のそれ以外の構成要素の機能は、上記の第１の実施形態による育児用多機能保管庫と同一であるので、その詳細は省略する。
【００５８】
以下、本発明の好適な第３の実施形態について詳細に説明する。
【００５９】
図１１及び１２を参照すると、本発明の第３の実施形態による育児用多機能保管庫の内部ケースの正面斜視図及び後方分離斜視図が示されている。図１３は、本発明の第３の実施形態による育児用多機能保管庫の内部ケースの設置状態を示す。図示のように、本発明による育児用多機能保管庫の内部ケース２００は、外部ケース３００の内部に設けられる本体２１０と、本体２１０の最上部に結合される補強板２２０とを含む。
【００６０】
前面パネル２１２は、本体２１０の上部に設けられ、内部ケース２００の本体２１０が外部ケース３００と結合されるとき、外部ケース３００の上側前端部に配置される。さらに、本体２１０は、外部ケース３００の内側面から離間して配置される機能室２１１を少なくとも１つ含んでおり、第１機能室２１１の前面部は開放されている。また、Ｕ字状の溝２１４が前面パネル２１２に形成される。
【００６１】
本体２１０は、その前端部が外部ケース３００の前端部と密閉して結合されるように外部ケース３００の下部に挿入される。従って、本体２１０と外部ケース３００の内側面との間に密閉空間が形成される。密閉空間は液状断熱材が充填され、液状断熱材は触媒作用などにより固体化する。
【００６２】
本体２１０及び外部ケース３００を密閉して結合するため、例えば、ゴムからなる密閉部材（図示せず）が、本体２１０と外部ケース３００との間の結合部に形成されても良い。さらに、本体２１０の端部に沿って突起部を形成し、本体２１０及び外部ケース３００を結合するため、外部ケース３００の前端部に突起部を強制的に取り付けることもできる。さらに、本体２１０及び外部ケース３００の前端部を、ボルトとナットによって結合することもできる。
【００６３】
本体２１０が外部ケース３００内に配置されるとき、第１機能室２１１は外部ケース３００の内側面から離間して配置されるように構成することで、本体２１０と外部ケース３００との間に空間を形成する。この空間は断熱材が充填される。また、本体２１０は回転によって開閉される前面ドア（図示せず）を有する。さらに、本体２１０は前面ドアを設置するためのブラケットを固定する段部１１３が備えられる。
【００６４】
補強板２２０をＵ字状に形成することによって、補強板２２０は、本体２１０の溝２１４の後側に結合され、これにより、本体２１０と外部ケース３００との間の密閉空間の最上部を密閉する。従って、密閉空間から液状断熱材が漏れることを防止できる。さらに、第２機能室２２１は、第１機能室２１１から離間して配置されるように、本体２１０の溝２１４の後側に延在する。
【００６５】
本体２１０内に形成された第１及び第２機能室２１１及び２２１、及び補強板２２０は、蒸気や熱によって乳児用食品又は用品を冷蔵、冷凍又は保温する、又は乳児用品を殺菌するための空間を提供する。従って、冷媒又は熱電素子の循環を利用する冷却部、ヒータ又は熱電素子を利用する湯せん器、高温蒸気又は熱を放出する殺菌装置は、内部ケース２００と外部ケース３００との間の所望の位置だけでなく、第１及び第２機能室２１１及び２２１内の所望の位置に設けられ、様々な方法で乳児用食品又は用品を保管する。
【００６６】
補強板２２０を本体２１０の溝２１４の後側にしっかりと結合するため、その間の結合部分に、例えば、ゴムからなる密閉部材（図示せず）が設けられる。さらに、図２に示したように、補強板２２０をボルトとナットによって溝２１４と接続させるため、固定リブ２２３が補強板２２０の前端部に沿って形成される。
【００６７】
また、補強板２２０の後端が外部ケース３００の内側面と接触する際の安全性を強化するため、補強板２２０の形状と同一の形状を有するガイドが外部ケース３００の内側面に形成されても良い。
【００６８】
補強板２２０は、両側から水平方向に延びる支持部２２４を有する。支持部２２４は外部ケース３００の側面を支持し、外部からの荷重による外部ケース３００の変形を防止する。さらに、本体２１０と外部ケース３００との間に形成される密閉空間の最上部を密閉するため、支持部１２４だけでなく、補強板２２０と本体２１０との接触部分にも、例えば、ゴムからなる密閉部材（図示せず）が備えられる。また、補強板２２０の前面及び後面には、ねじれを防止する補強部材２２２が備えられる。
【００６９】
このように構成される育児用多機能保管庫の内部ケースの組立及び機能について説明する。
【００７０】
内部ケース２００の本体２１０及び補強板２２０は、複数のボルト（「Ｂ」で示される）とナット（「Ｎ」で示される）によってそれらを締め付けることによって互いに結合される。そして、内部ケース２００のその組立部は、本体２１０、補強板２２０及び外部ケース３００の間に形成される空間が密閉されるように、外部ケース３００と結合する。その後、液状断熱材が注入口（図示せず）を介してこの空間に充填され、注入口は液状断熱材が漏れないように密閉される。このとき、ボルト（Ｂ）とナット（Ｎ）で本体２１０と補強板２２０とを互いにしっかりと固定することによって、第１及び第２機能室２１１及び２２１は互いに分離され、液状断熱材の漏出を防止することができる。
【００７１】
さらに、Ｕ字状の補強板２２０を形成することによって、その前端部は本体２１０にしっかりと固定され、その両側の支持部１２４は外部ケース３００の内側面を支持及び補強する。その結果、外部からの荷重や衝撃によって生じる外部ケース３００の変形を最小限に抑えることができる。
【００７２】
なお、本発明は、上記した実施の形態に限定されるものではなく、本発明に係る技術的思想の範囲から逸脱しない範囲内で様々な変更が可能であり、それらも本発明の技術的範囲に属する。
【図面の簡単な説明】
【００７３】
【図１】本発明の第１の実施形態に係る育児用多機能保管庫を示す斜視図である。
【図２】本発明の第１の実施形態に係る育児用多機能保管庫のドアが開かれている状態を示す斜視図である。
【図３】本発明の第１の実施形態に係る育児用多機能保管庫の内部を示す正面図である。
【図４】本発明の第１の実施形態に係る育児用多機能保管庫を制御するためのブロック図である。
【図５】本発明の第１の実施形態に係る育児用多機能保管庫の冷蔵室を示す側断面図である。
【図６】本発明の第１の実施形態に係る育児用多機能保管庫の温蔵室を示す側断面図である。
【図７】本発明の第１の実施形態に係る育児用多機能保管庫の殺菌室を示す側断面図である。
【図８】本発明の第１の実施形態に係る育児用多機能保管庫の集水容器及び排水口を示す斜視図である。
【図９】本発明の第２の実施形態に係る育児用多機能保管庫を制御するためのブロック図である。
【図１０】本発明の第２の実施形態に係る育児用多機能保管庫の冷温蔵室を示す側断面図である。
【図１１】本発明の第３の実施形態に係る育児用多機能保管庫の内部ケースを示す正面斜視図である。
【図１２】本発明の第３の実施形態に係る育児用多機能保管庫の内部ケースを示す後方分離斜視図である。
【図１３】本発明の第３の実施形態に係る育児用多機能保管庫の内部ケースの設置状態を示す斜視図である。
【図１】
2008525752.tif 000003
【図２】
2008525752.tif 000004
【図３】
2008525752.tif 000005
【図４】
2008525752.tif 000006
【図５】
2008525752.tif 000007
【図６】
2008525752.tif 000008
【図７】
2008525752.tif 000009
【図８】
2008525752.tif 000010
【図９】
2008525752.tif 000011
【図１０】
2008525752.tif 000012
【図１１】
2008525752.tif 000013
【図１２】
2008525752.tif 000014
【図１３】
2008525752.tif 000015
【国際調査報告】
2008525752.tif 000016
2008525752.tif 000017
2008525752.tif 000018